(57)【要約】      （修正有）【課題】金属ヘッド部内部に空間をもたせることにより、加温する金属量を減らし、消費電力を削減できる温熱指圧器を提供する。【解決手段】温熱指圧器１であって前記温熱指圧器は、本体１００と、前記本体と接続する金属ヘッド２００と、前記温熱指圧器内に配置した熱源１１０と、前記熱源から前記金属ヘッドへ熱を伝える熱伝導体３００を備え、前記金属ヘッドは、凹部２０３を備え、前記凹部は、前記熱伝導体が前記金属ヘッドに接続した状態で、空間を有する。【選択図】図１
0003222084.tif 000002
【実用新案登録請求の範囲】
【請求項１】
本体と、前記本体と接続する金属ヘッドと、熱源と、前記熱源から前記金属ヘッドへ熱を伝える熱伝導体を備える温熱指圧器であって、
前記金属ヘッドは、凹部を備え、
前記凹部は、前記熱伝導体が前記金属ヘッドに接続した状態で、空間を有する、
温熱指圧器。
【請求項２】
前記金属ヘッドは、皮膚と接触する接触部と、前記本体と接続する接続部とを備え、
前記金属ヘッドは、前記接続部側に前記凹部を備える、請求項１に記載の温熱指圧器。
【請求項３】
前記熱伝導体の一端は、前記凹部側の前記金属ヘッドと接続しており、
前記熱伝導体の他端は、前記熱源と接続している、請求項１又は２に記載の温熱指圧器。
【請求項４】
前記本体は、バッテリーと、前記熱源と前記バッテリーと電気的に接続した制御装置を備える、請求項１から３のいずれかに記載の温熱指圧器。
【請求項５】
前記熱伝導体は、前記熱伝導体の一端が開口端であり且つ前記熱伝導体の他端が閉口端である円筒形態である、請求項１から４のいずれかに記載の温熱指圧器。
【請求項６】
前記熱伝導体は、プレート形態である、請求項１から４のいずれかに記載の温熱指圧器。
【請求項７】
振動装置を更に備える、請求項１から６のいずれかに記載の温熱指圧器。
【請求項８】
温度測定装置を更に備える、請求項１から７のいずれかに記載の温熱指圧器。
【考案の詳細な説明】
【技術分野】
【０００１】
本考案は、指圧器に関し、特に温熱指圧器に関する。
【背景技術】
【０００２】
温熱指圧器は、手足に押し付けることによって手足を温めると同時に指圧を行う機器であり、さまざまなイプの温熱指圧器が存在する。
【０００３】
特許文献１は、指圧器内部に温水を加えるタイプの温熱指圧器が開示されている。特許文献２は、指圧器内部に燃焼するスティック状燃料を加えるタイプの温熱指圧器が開示されている。
【先行技術文献】
【特許文献】
【０００４】
【特許文献１】特開2005-279204号公報
【特許文献２】特許第5352762号公報
【考案の概要】
【考案が解決しようとする課題】
【０００５】
しかしながら、上記先行技術文献には以下の問題が存在していた。
特許文献１が開示する温熱指圧器には、温水を使うためた温度を一定に保つことが出来ず、また、所望の温度よりも温度が下がった場合に備えて常に温水を用意しなければならない問題があった。特許文献２が開示する温熱指圧器には、可燃性に燃料を使用することから火災のリスクと燃焼による火傷のリスクが存在するという問題があった。
【０００６】
本考案者は、鋭意研究の結果、金属製のヘッド部を備える電気式温熱指圧器を考案した。しかしながら、金属製のヘッド部を加温するのに多くの電力が必要となり、かかる温熱指圧器を充電式とするには不向きであり、また、かかる温熱指圧器をコード式とすると施術中にコードが患者に触れて不快感を与える結果となった。
【課題を解決するための手段】
【０００７】
そこで、本考案者は、さらなる研究の結果、金属製のヘッド部内部に空間をもたせることによって、加温する金属量を減らし、消費電力を削減させることに成功した。
【０００８】
本考案は、
本体と、上記本体と接続する金属ヘッドと、熱源と、上記熱源から上記金属ヘッドへ熱を伝える熱伝導体を備える温熱指圧器であって、
上記金属ヘッドは、凹部を備え、
上記凹部は、上記熱伝導体が上記金属ヘッドに接続した状態で、空間を有する。
【０００９】
本考案の温熱指圧器は、金属製のヘッド部内部に空間をもたせることによって、加温する金属量を減らし、消費電力を削減させることができる。
【図面の簡単な説明】
【００１０】
【図１】図１は、第一実施形態にかかる温熱指圧器の概略図を示している。
【図２】図２は、第二実施形態にかかる温熱指圧器１の部分概略図を示している。
【図３】図３は、第三実施形態にかかる温熱指圧器１の部分概略図を示している。
【考案を実施するための形態】
【００１１】
以下で本実施形態について述べるが、重複内容は適宜省略する。
【００１２】
第一実施形態
温熱指圧器
図１は、本考案にかかる温熱指圧器１の概略図を示している。本実施形態の温熱指圧器１は、本体１００と、本体１００と接続する金属ヘッド２００と、熱源１１０と、熱源１１０から金属ヘッド２００へ熱を伝える熱伝導体３００を備える。金属ヘッド２００は、凹部２０３を備える。金属ヘッド２００の凹部２０３は、熱伝導体３００が金属ヘッド２００に接続した状態で空間２０４を有する。
【００１３】
本実施形態において、本体１００は、バッテリー１３０と、熱源１１０とバッテリー１３０と電気的に接続した制御装置１２０を備える。金属ヘッド２００は、施術する対象の皮膚と接触する接触部２０１と、本体１００と接続する接続部２０２とを備える。金属ヘッド２００は、接続部側に凹部２０３を備える。熱伝導体３００の一端３０１は、凹部側から金属ヘッド２００と接続している。熱伝導体３００の他端３０２は、熱源１１０と接続し、熱源１１０の熱を金属ヘッド２００へ伝える。
【００１４】
本実施形態において、温熱指圧器１は、サーミスタ２１０を備えているが、他の温度測定装置であってもよい。サーミスタ２１０は、金属ヘッド２００の凹部２０３に備わっていることが好ましい。本実施形態において、温熱指圧器１は、振動モーター１４０が備わっているが他の振動装置であってもよい。本実施形態において、空間２０４は、空気で満たされているが、他のガス（例えば、窒素）であってもよく、断熱材（例えば、発泡スチロール）であってもよい。また、空間２０４は、開放空間であってもよいが、可能な限り密閉空間であることが好ましい。
【００１５】
本体
本体１００は、その材質について特に限定するものではないが、プラスチック製又は木製であることが好ましい。金属ヘッド２００の熱が本体１００へ伝わるのを防ぐ手段（例えば、本体１００と金属ヘッド２００との間に配置するゴム製スペーサー）が講じられていれば、本体１００の素材は、真鍮、ステンレス、アルミ合金、銅などの金属であってもよい。本実施形態において、本体１００は、電源ケーブル１４０を接続させる電源ケーブルコネクター１４１を備えており、電源ケーブル１４０を通じて本体１００への給電やバッテリー１３０（充電可能なものに限る）の充電が可能である。
【００１６】
制御装置
制御装置１２０は、バッテリー１３０の電力を用いて熱源１１０を加温し温度制御を行う。熱源１１０は、本実施形態において本体１００内に配置しているが、金属ヘッド２００の凹部２０３内に配置してもよい。制御装置１２０は、熱源１１０の温度を所定の温度設定となるようにプログラムされていてもよく、本体１００の表面に備わる制御盤（不図示）を介して任意の温度に設定可能であってもよい。設定温度は、金属ヘッド２００の温度が、例えば３０℃から４３℃の任意の温度又は温度範囲（例えば、３７℃から４０℃又は４０℃から４３℃）となるように設定することが好ましい。温熱指圧器１がサーミスタ２１０を備えている場合、制御装置１２０は、サーミスタ２１０から得られる情報に基づいて熱源１１０の温度を制御してもよい。熱源１１０は、電力を負荷することにより発熱する抵抗器（例えば、１．５ｏｈｍ）であってもよい。温熱指圧器１が振動モーター１４０を備えている場合は、制御装置１２０は、振動モーター１４０の回転速度、回転時間などを制御することができる。バッテリー１３０がリチウムイオン電池（例えば、３．７ｖ、１３００ｍＡＨ）などの再充電可能なバッテリーの場合、制御装置１２０は、バッテリー１３０の充電を制御することができる。バッテリー１３０は、使い捨てであってもよい。制御装置１２０は、所定の時間（例えば、１０分）の動作を可能とするタイマー機能を備えていてもよい。
【００１７】
金属ヘッド
本実施形態における金属ヘッド２００の形状は、頂点が丸みを帯びた円錐であるが、ドーム型であってもよい。金属ヘッド２００の素材としては、真鍮、ステンレス、アルミ合金、銅を挙げることができるがこれらに限定されるものではない。金属ヘッド２００の凹部２０３の形状は、特に限定するものではないが、立方体、三角錐、円錐、円柱、角柱であってもよい。本体１００と金属ヘッド２００は、螺合によって結合させてもよく、嵌合によって結合させてもよい。
【００１８】
熱伝導体
熱伝導体３００の素材は、熱伝導率が高ければ特に限定するものではないが、真鍮、ステンレス、アルミ合金、銅、鉄を挙げることができる。熱伝導体３００の形状は、特に限定するものではないが、円柱、角柱であってもよく、ネジ型であってもよい。熱伝導体３００の形状が円柱や角柱の場合は、例えば、溶接により金属ヘッド２００に接続させることができる。熱伝導体３００の形状がネジの場合は、螺合により金属ヘッド２００に接続させることができ、併せて、本体１００と金属ヘッド２００とを接続させることもできる。
【００１９】
温熱指圧器１の使用例
温熱指圧器１の電源スイッチ（不図示）をONにすることによって、制御装置１２０が熱源１１０を加温して所定の温度を維持する。熱源１１０の熱が熱伝導体３００に伝わり金属ヘッド２００へ伝わる。所定の温度に達した段階で、施術する対象の所望の位置（例えば、ツボ）に金属ヘッド２００を押し当てることで、指圧刺激とお灸刺激を加えることができる。温熱指圧器１が振動モーター１４０を備える場合は、更に振動刺激も加えることができる。
【００２０】
第二実施形態
図２は、第二実施形態にかかる温熱指圧器１の部分概略図を示している。点線は、図面の省略を表している。熱伝導体３００ａは、熱伝導体３００ａの一端３０１ａが開口端であり且つ熱伝導体３００ａの他端３０２ａが閉口端である円筒形態である。熱伝導体３００ａは、ネジ３０３によって金属ヘッド２００に螺合されている。
【００２１】
第三実施形態
図３は、第三実施形態にかかる温熱指圧器１の部分概略図を示している。熱伝導体３００ｂは、プレート形態であり、熱伝導体３００ｂの一端３０１ｂが金属ヘッド２００と接触し、熱伝導体３００ｂの他端３０２ｂが熱源１１０と接触している。本実施形態において、熱源１１０は、金属ヘッド２００の凹部２０３内に位置しているが、本体１００から凹部２０３まで延在していてもよい。熱伝導体３００ｂは、ネジ３０３によって金属ヘッド２００に螺合されている。
【符号の説明】
【００２２】
１        温熱指圧器
１００    本体
１１０    熱源
１２０    制御装置
１３０    バッテリー
１４０    振動モーター
２００    金属ヘッド
２０１    接触部
２０２    接続部
２０３    凹部
２０４    空間
２１０    サーミスタ
３００    熱伝導体
３００ａ  熱伝導体
３００ｂ  熱伝導体
３０１    熱伝導体の一端
３０１ａ  熱伝導体の一端
３０１ｂ  熱伝導体の一端
３０２    熱伝導体の他端
３０２ａ  熱伝導体の他端
３０２ｂ  熱伝導体の他端
【図１】
0003222084.tif 000003
【図２】
0003222084.tif 000004
【図３】
0003222084.tif 000005
【手続補正書】
【提出日】令和1年5月10日(2019.5.10)
【手続補正１】
【補正対象書類名】実用新案登録請求の範囲
【補正対象項目名】全文
【補正方法】変更
【補正の内容】
【実用新案登録請求の範囲】
【請求項１】
温熱指圧器であって
前記温熱指圧器は、本体と、前記本体と接続する金属ヘッドと、前記温熱指圧器内に配置した熱源と、前記熱源から前記金属ヘッドへ熱を伝える熱伝導体を備え、
前記金属ヘッドは、凹部を備え、
前記凹部は、前記熱伝導体が前記金属ヘッドに接続した状態で、空間を有する、温熱指圧器。
【請求項２】
前記金属ヘッドは、皮膚と接触する接触部と、前記本体と接続する接続部とを備え、
前記金属ヘッドは、前記接続部側に前記凹部を備える、請求項１に記載の温熱指圧器。
【請求項３】
前記熱伝導体の一端は、前記凹部側の前記金属ヘッドと接続しており、
前記熱伝導体の他端は、前記熱源と接続している、請求項１又は２に記載の温熱指圧器。
【請求項４】
前記本体は、バッテリーと、前記熱源と前記バッテリーと電気的に接続した制御装置を備える、請求項１から３のいずれかに記載の温熱指圧器。
【請求項５】
前記熱伝導体は、前記熱伝導体の一端が開口端であり且つ前記熱伝導体の他端が閉口端である円筒形態である、請求項１から４のいずれかに記載の温熱指圧器。
【請求項６】
前記熱伝導体は、プレート形態である、請求項１から４のいずれかに記載の温熱指圧器。
【請求項７】
前記本体内に振動装置を更に備える、請求項１から６のいずれかに記載の温熱指圧器。
【請求項８】
前記金属ヘッドの前記凹部側に温度測定装置を更に備える、請求項１から７のいずれかに記載の温熱指圧器。